(57)【要約】【課題】適正な検査を遂行するための有益な情報を提供する。【解決手段】ＣＰＵ３０は、警告生成基準情報から、判別された現在の検査箇所の識別情報に対応する場所情報および検査内容を特定する。ＣＰＵ３０は、特定した場所情報の足場と視界のそれぞれに対応する実際の安全レベルと、算出した足場と視界のそれぞれに対応する安全基準値とを比較し、足場の警告条件が満たされたか否かを判断するとともに、視界の警告条件が満たされたか否かを判断する。ＣＰＵ３０は、足場あるいは視界の警告条件が満たされたと判断した場合、ビデオエンコーダ８０のＯＳＤ回路に、足場あるいは視界の安全に関する映像の警告情報の生成を指示する。【選択図】図８
2011128699.tif 000002
【特許請求の範囲】
【請求項１】
検査対象、前記検査対象の位置である検査位置および検査内容に関する検査情報と前記検査情報に対応する図面情報とを入力する検査内容入力部と、
前記検査内容入力部の入力した検査位置に対応する告知情報を入力する告知情報入力部と、
前記検査内容入力部の入力した検査情報と図面情報とに基づいて検査チェックシートを生成する検査チェックシート生成部と、
前記検査チェックシート生成部の生成した検査チェックシートに基づいて検査情報および図面情報を表示する表示部と、
現在の検査位置を判別する検査位置判別部と、
前記検査位置判別部の判別した現在の検査位置に対応する告知情報を前記表示部に表示された図面情報に関連づけて出力するよう制御する告知情報出力部と、
を備える検査情報システム。
【請求項２】
前記表示部の表示した検査情報に含まれる検査対象のうち所望の検査対象を選択する検査対象選択部を備え、
前記検査位置判別部は、前記検査対象選択部の選択した検査対象の検査位置を現在の検査位置と判別する請求項１に記載の検査情報システム。
【請求項３】
現在位置に関する情報を受信する現在位置受信部を備え、
前記検査位置判別部は、前記現在位置受信部の受信した現在位置に関する情報に最も近接する検査対象の検査位置を現在の検査位置と判別する請求項１に記載の検査情報システム。
【請求項４】
所望の検査対象の検査内容に対応する検査結果を入力する検査結果入力部と、
前記検査対象の撮影ポイントを入力する撮影ポイント入力部と、
前記検査対象を被写体とした画像を撮影可能な撮影部と、
前記検査対象と前記検査結果入力部の入力した検査結果と前記撮影ポイント入力部の入力した撮影ポイントと前記撮影部の撮影した画像である検査画像とを対応づけた検査結果データを記憶する記憶部と、
を備える請求項１〜３のいずれかに記載の検査情報システム。
【請求項５】
前記告知情報入力部は、前記検査結果入力部が検査結果を入力した検査対象に対応する告知情報を第１の携帯端末を介して入力し、
前記告知情報出力部は、前記第１の携帯端末を介して入力された告知情報を、前記第１の携帯端末とは異なる第２の携帯端末の表示部に表示された図面情報に関連づけて出力するよう制御する請求項４に記載の検査情報システム。
【請求項６】
情報システムが、
検査対象、前記検査対象の位置である検査位置および検査内容に関する検査情報と前記検査情報に対応する図面情報とを入力するステップと、
前記入力した検査位置に対応する告知情報を入力するステップと、
前記入力した検査情報と図面情報とに基づいて検査チェックシートを生成するステップと、
前記生成した検査チェックシートに基づいて検査情報および図面情報を表示するステップと、
現在の検査位置を判別するステップと、
前記判別した現在の検査位置に対応する告知情報を前記表示された図面情報に関連づけて出力するよう制御するステップと、
を実行する告知情報出力方法。
【請求項７】
請求項６に記載の告知情報出力方法を情報システムに実行させるための告知情報出力プログラム。
【発明の詳細な説明】
【技術分野】
【０００１】
本発明は、建設などの工事における施行検査業務を支援する情報システムに関する。
【背景技術】
【０００２】
ビル建設などの工事における施行検査業務、例えば配筋検査と呼ばれる鉄筋の配置状況をチェックする検査に関して、これを効率的に行うためのシステムが従来開発されている。
【０００３】
特許文献１では、物件情報、施工検査工程、施工検査結果及び工事進捗状況等を入力する入力手段と、入力された情報の保存及び管理を行う記憶手段と、PC等の端末から通信ネットワークを介してサーバと通信する通信手段と、検査結果として用いる写真の精選処理や検査結果等の申請・承認処理などを行う情報処理手段と、検査結果や工事の進捗状況等を閲覧できる表示手段と、「品質監理報告書」を出力することのできる印刷手段とを備えた品質管理システムを利用する。
【０００４】
その他、本願発明に関係する従来技術として特許文献２〜６がある。
【先行技術文献】
【特許文献】
【０００５】
【特許文献１】特開２００８−１４６１０７号公報
【特許文献２】特開２０００−１９８６号公報
【特許文献３】特開２００１−１４２９５３号公報
【特許文献４】特開２００２−３５８３４３号公報
【特許文献５】特開２００２−２８７８４６号公報
【特許文献６】特開２００６−２８５６３９号公報
【発明の概要】
【発明が解決しようとする課題】
【０００６】
建設・建築現場は、足場が悪かったり建築材料がむき出しになっていたり薄暗かったりと、検査作業を行う担当者のけがや事故や検査の失敗につながりやすい環境が多い。本発明では、施工検査現場における事故や検査ミスを軽減し適正な検査を遂行するための有益な情報を提供することを目的とする。
【課題を解決するための手段】
【０００７】
本発明は、検査対象、検査対象の位置である検査位置および検査内容に関する検査情報と検査情報に対応する図面情報とを入力する検査内容入力部と、検査内容入力部の入力した検査位置に対応する告知情報を入力する告知情報入力部と、検査内容入力部の入力した検査情報と図面情報とに基づいて検査チェックシートを生成する検査チェックシート生成部と、検査チェックシート生成部の生成した検査チェックシートに基づいて検査情報および図面情報を表示する表示部と、現在の検査位置を判別する検査位置判別部と、検査位置判別部の判別した現在の検査位置に対応する告知情報を表示部に表示された図面情報に関連づけて出力するよう制御する告知情報出力部と、を備える検査情報システムを提供する。
【０００８】
ここで、告知情報とは、検査の実施にあたって有益な各種の情報、例えば検査現場の安全に関する情報、特に安全を確保するための警告や、検査にあたって遵守あるいは注意すべき事項を含む。
【０００９】
この検査情報システムは、好ましくは、表示部の表示した検査情報に含まれる検査対象のうち所望の検査対象を選択する検査対象選択部を備え、検査位置判別部は、検査対象選択部の選択した検査対象の検査位置を現在の検査位置と判別する。
【００１０】
この検査情報システムは、好ましくは、現在位置に関する情報を受信する現在位置受信部を備え、検査位置判別部は、現在位置受信部の受信した現在位置に関する情報に最も近接する検査対象の検査位置を現在の検査位置と判別する。
【００１１】
この検査情報システムは、好ましくは、所望の検査対象の検査内容に対応する検査結果を入力する検査結果入力部と、検査対象の撮影ポイントを入力する撮影ポイント入力部と、検査対象を被写体とした画像を撮影可能な撮影部と、検査対象と検査結果入力部の入力した検査結果と撮影ポイント入力部の入力した撮影ポイントと撮影部の撮影した画像である検査画像とを対応づけた検査結果データを記憶する記憶部と、を備える。
【００１２】
この検査情報システムは、好ましくは、告知情報入力部は、検査結果入力部が検査結果を入力した検査対象に対応する告知情報を第１の携帯端末を介して入力し、告知情報出力部は、第１の携帯端末を介して入力された告知情報を、第１の携帯端末とは異なる第２の携帯端末の表示部に表示された図面情報に関連づけて出力するよう制御する。
【００１３】
本発明は、情報システムが、検査対象、検査対象の位置である検査位置および検査内容に関する検査情報と検査情報に対応する図面情報とを入力するステップと、入力した検査位置に対応する告知情報を入力するステップと、入力した検査情報と図面情報とに基づいて検査チェックシートを生成するステップと、生成した検査チェックシートに基づいて検査情報および図面情報を表示するステップと、現在の検査位置を判別するステップと、判別した現在の検査位置に対応する告知情報を表示された図面情報に関連づけて出力するよう制御するステップと、を実行する告知情報出力方法を提供する。
【００１４】
本発明は、この告知情報出力方法を情報システムに実行させるための告知情報出力プログラムを提供する。
【発明の効果】
【００１５】
本発明により、現在の検査対象の位置に応じた警告情報を検査の実施にあたって出力することで、作業の事故やミスを未然に防ぐことが期待される。
【図面の簡単な説明】
【００１６】
【図１】建設検査システムの概略構成図
【図２】警告生成基準情報の一例を示す図
【図３】建設検査システムの処理内容の概要を示す図
【図４】カメラ付き携帯端末のブロック図
【図５】検査チェックシート生成処理のフローチャート
【図６】検査業務処理のフローチャート
【図７】伏図、部材図面、検査画像の表示例を示す図
【図８】第１実施形態に係る警告処理のフローチャート
【図９】現在の検査場所判別の概念説明図
【図１０】生成した警告情報を画像表示装置に表示した例を示す図
【図１１】警告情報を吹き出しの形にし、図面における現在の検査箇所に警告情報を対応づけて表示した例を示す図
【図１２】現在選択されている検査対象に警告情報を対応づけてに表示した例を示す図
【図１３】伏図から検査ポイントが選択されたことに応じて警告情報を画像表示装置４８に表示し、その後検査対象の部材図面を表示した例を示す図
【図１４】第２実施形態に係る検査チェックシート生成処理のフローチャート
【図１５】第２実施形態に係る検査業務処理のフローチャート
【図１６】第２実施形態に係る警告処理のフローチャート
【図１７】携帯端末から検査結果とともに警告情報が入力される様子を例示した図
【発明を実施するための形態】
【００１７】
＜第１実施形態＞
図１は本発明の好ましい実施形態に係る建設検査システムの概略構成を示す。このシステムは、サーバ１、パソコン（ＰＣ）２、カメラ付き携帯端末３を含む。サーバ１、パソコン２、カメラ付き携帯端末３、プリンタ４は、移動体通信網、インターネットおよびＬＡＮなどで構築されたネットワーク５を介して相互に接続可能である。携帯端末３は複数存在しうるが、それらは同様の構成を有するものとする。
【００１８】
サーバ１は、検査情報を一元的に検査情報ＤＢ１ａにて管理する。サーバ１およびパソコン２は、コンピュータ（ＣＰＵ，ＲＡＭ，ＲＯＭなど演算処理に必要な回路、データ記憶媒体、データ入出力回路、表示回路、操作装置、通信回路などを備えたもの）で構成することができる。検査情報ＤＢ１ａは、ハードディスクユニットのような大容量記憶媒体で構成することができる。
【００１９】
検査情報ＤＢ１ａに蓄積される検査情報は、検査の内容、種類および対象を具体的に示す情報である。例えば、検査情報は、工事物件名（○○ビルなど）、検査図面、検査種類（配筋検査など）、検査箇所（建物の階数、３Ｆなど）、検査対象（柱、梁、壁など）ならびに当該検査対象に対応する位置情報／警告情報／警告生成基準情報、検査項目（種類、数、ピッチなど）、検査ポイント（柱の断面を外側から囲む等間隔で配置された点など）を含む。検査図面は、見取り図面（伏図）、部材図面（配筋図、断面図など）を含み、部材図面および検査対象は、見取り図面に配置された各部材の位置に対応づけられている。検査情報および図面の保存データ形式は任意である。検査情報はテキストデータでもよいし図面ファイルの付帯情報でもよい。
【００２０】
検査対象に対応する位置情報は、ＧＰＳ（Ｇｌｏｂａｌ Ｐｏｓｉｔｉｏｎｉｎｇ Ｓｙｓｔｅｍ）衛星から取得される測位情報や携帯端末３の近隣の中継器から提供される位置情報で構成されうる。警告情報は、検査対象およびその周囲の状況や検査実施方法などについて検査員に注意を促す有益な情報を提供するための映像および／または音声を含み、現場における検査業務の経験の長い者が図面や検査内容を見ることで決められる。
【００２１】
図２は警告生成基準情報の一例を示す。警告生成基準情報は、検査対象状態テーブル、足場視界テーブル、安全基準係数テーブル、安全基準閾値テーブルを含む。警告生成基準情報の保存形式は任意である。
【００２２】
検査対象状態テーブルは、各検査箇所の識別番号と、場所情報と、検査内容とを対応づけたデータセットである。場所情報は、各検査箇所の足場と視界の実際の安全レベル（足場や視界など検査環境の良し悪しの程度）を含む。この安全レベルは数値であり、安全レベルの数値に対応した安全レベルの内容は足場視界テーブルに定義されている。場所情報の安全レベルは、実際に現場監督や検査員が検査対象予定の現場に予め赴いて目視することで決められる。例えば現場監督が検査対象予定の足場および視界の状態を目視し、その状態と一致する足場視界テーブルの安全レベルの内容に対応する安全レベルの数値を、場所情報としてＰＣ２経由で、あるいは携帯端末３経由で登録する。検査内容は、検査対象と検査種類を含む。検査対象状態テーブルに含まれる検査箇所、場所情報、検査内容は、図示したものに限定されない。
【００２３】
安全基準係数テーブルは、検査対象ごとの安全基準係数を定義する。安全基準閾値テーブルは、検査種類ごとの足場と視界の安全基準閾値を定義する。
【００２４】
以下、検査対象ごとの安全基準係数と安全基準とを乗算して得られた値を、安全基準値と呼ぶ。検査対象ごとの安全基準値は、検査対象ごとの場所情報に含まれる実際の安全レベルと比較される。
【００２５】
警告生成基準情報そのものが映像や音声で実際に出力される警告情報を含んでもよい。
【００２６】
図３は建設検査システムの処理内容の概要を示す。このシステムでは、検査チェックシートの生成（Ｓｔｅｐ１）、検査結果の入力および検査画像の撮影（Ｓｔｅｐ２）、検査結果の帳票出力（Ｓｔｅｐ３）が実行される。これらの処理の具体的流れは後述する。
【００２７】
図４は、カメラ付き携帯端末３の構成を例示する。カメラ付き携帯端末３全体の動作は中央処理装置（ＣＰＵ）３０によって統括制御される。ＣＰＵ３０は、所定のプログラムに従って動作を制御する制御手段として機能するとともに、自動露出（ＡＥ）演算、自動焦点調節（ＡＦ）演算、ホワイトバランス（ＷＢ）調整演算など、各種演算を実施する演算手段として機能する。
【００２８】
バス３２を介してＣＰＵ３０と接続されたＲＯＭ３４には、ＣＰＵ３０が実行するプログラム及び制御に必要な各種データ等が格納され、ＥＥＰＲＯＭ３６には、ＣＣＤ画素欠陥情報、カメラ動作に関する各種定数／情報等が格納されている。
【００２９】
また、メモリ（ＳＤＲＡＭ）３８は、プログラムの展開領域及びＣＰＵ３０の演算作業用領域として利用されるとともに、画像データや音声データの一時記憶領域として利用される。ＶＲＡＭ４０は画像データ専用の一時記憶メモリであり、Ａ領域４０ＡとＢ領域４０Ｂが含まれている。メモリ３８とＶＲＡＭ４０は共用することが可能である。
【００３０】
カメラ付き携帯端末３にはモード選択スイッチ４２、撮影ボタン４４、その他、メニュー／ＯＫキー、十字キー、キャンセルキーなどの操作手段４６が設けられている。これら各種の操作部（４２〜４６）からの信号はＣＰＵ３０に入力され、ＣＰＵ３０は入力信号に基づいてカメラ付き携帯端末３の各回路を制御し、例えば、レンズ駆動制御、撮影動作制御、画像処理制御、画像データの記録／再生制御、画像表示装置４８の表示制御などを行う。
【００３１】
モード選択スイッチ４２は、撮影モードと再生モードとを切り換えるための操作手段である。モード選択スイッチ４２を操作して可動接片４２Ａを接点ａに接続させると、その信号がＣＰＵ３０に入力され、カメラ付き携帯端末３は撮影モードに設定され、可動接片４２Ａを接点ｂに接続させると、カメラ付き携帯端末３は記録済みの画像を再生する再生モードに設定される。
【００３２】
撮影ボタン４４は、撮影開始の指示を入力する操作ボタンであり、半押し時にＯＮするＳ１スイッチと、全押し時にＯＮするＳ２スイッチとを有する二段ストローク式のスイッチで構成されている。
【００３３】
画像表示装置４８は、カラー表示可能な液晶ディスプレイで構成されている。画像表示装置４８は、撮影時に画角確認用の電子ファインダとして使用できるとともに、記録済み画像を再生表示する手段として利用される。また、画像表示装置４８は、ユーザインターフェース用表示画面としても利用され、必要に応じてメニュー情報や選択項目、設定内容などの情報が表示される。
【００３４】
モード選択スイッチ４２によって撮影モードが選択されると、カラーＣＣＤ固体撮像素子（以下ＣＣＤと記載）５０を含む撮像部に電源が供給され、撮影可能な状態になる。
【００３５】
レンズユニット６０は、フォーカスレンズを含む撮影レンズ６２と絞り兼用メカシャッター６４とを含む光学ユニットである。レンズユニット６０は、ＣＰＵ３０によって制御されるレンズ駆動部６６、絞り駆動部６８によって電動駆動され、ズーム制御、フォーカス制御及びアイリス制御が行われる。
【００３６】
レンズユニット６０を通過した光は、ＣＣＤ５０の受光面に結像される。ＣＣＤ５０の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ５０は、各フォトダイオードの電荷蓄積時間（シャッタースピード）を制御する電子シャッター機能を有している。ＣＰＵ３０は、タイミングジェネレータ７０を介してＣＣＤ５０での電荷蓄積時間を制御する。尚、ＣＣＤ５０に代えてＭＯＳ型など他の方式の撮像素子を用いてもよい。
【００３７】
ＣＣＤ５０の受光面に結像された被写体像は、各フォトダイオードによって入射光量に応じた量の信号電荷に変換される。各フォトダイオードに蓄積された信号電荷は、ＣＰＵ３０の指令に従いタイミングジェネレータ７０から与えられる駆動パルスに基づいて信号電荷に応じた電圧信号（画像信号）として順次読み出される。
【００３８】
ＣＣＤ５０から出力された信号はアナログ処理部（ＣＤＳ／ＡＭＰ）７２に送られ、ここで画素ごとのＲ，Ｇ，Ｂ信号がサンプリングホールド（相関二重サンプリング処理）され、増幅された後、Ａ／Ｄ変換器７４に加えられる。Ａ／Ｄ変換器７４によってデジタル信号に変換された点順次のＲ，Ｇ，Ｂ信号は、画像入力コントローラ７６を介してメモリ３８に記憶される。
【００３９】
画像信号処理回路７８は、メモリ３８に記憶されたＲ，Ｇ，Ｂ信号をＣＰＵ３０の指令に従って処理する。即ち、画像信号処理回路７８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ３０からのコマンドに従ってメモリ３８を活用しながら所定の信号処理を行う。
【００４０】
画像信号処理回路７８に入力されたＲＧＢの画像データは、画像信号処理回路７８において輝度信号（Ｙ信号）及び色差信号（Ｃr,Ｃb 信号）に変換されるとともに、ガンマ補正等の所定の処理が施される。画像信号処理回路７８で処理された画像データはＶＲＡＭ４０に格納される。
【００４１】
撮影画像を画像表示装置４８にモニタ出力する場合、ＶＲＡＭ４０から画像データが読み出され、バス３２を介してビデオエンコーダ８０に送られる。ビデオエンコーダ８０は、入力された画像データを表示用の所定方式の信号（例えば、ＮＴＳＣ方式のカラー複合映像信号）に変換して画像表示装置４８に出力する。
【００４２】
ＣＣＤ５０から出力される画像信号によって、１コマ分の画像を表す画像データがＶＲＡＭ４０のＡ領域４０ＡとＢ領域４０Ｂとで交互に書き換えられる。ＶＲＡＭ４０のＡ領域４０Ａ及びＢ領域４０Ｂのうち、画像データが書き換えられている方の領域以外の領域から、書き込まれている画像データが読み出される。このようにしてＶＲＡＭ４０内の画像データが定期的に書き換えられ、その画像データから生成される映像信号が画像表示装置４８に供給されることにより、撮像中の映像がリアルタイムに画像表示装置４８に表示される。撮影者は、画像表示装置４８に表示される映像（スルームービー画）によって撮影画角を確認できる。
【００４３】
撮影ボタン４４が半押しされ、Ｓ１がオンすると、デジタルカメラ１０’はＡＥ及びＡＦ処理を開始する。即ち、ＣＣＤ５０から出力された画像信号はＡ／Ｄ変換後に画像入力コントローラ７６を介してＡＦ検出回路８２並びにＡＥ／ＡＷＢ検出回路８４に入力される。
【００４４】
ＡＥ／ＡＷＢ検出回路８４は、１画面を複数のエリア（例えば、１６×１６）に分割し、分割エリアごとにＲＧＢ信号を積算する回路を含み、その積算値をＣＰＵ３０に提供する。ＣＰＵ３０は、ＡＥ／ＡＷＢ検出回路８４から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ３０はＣＣＤ５０の電子シャッター及びアイリスを制御して適正な露光量を得る。
【００４５】
また、ＡＥ／ＡＷＢ検出回路８４は、自動ホワイトバランス調整時には、分割エリアごとにＲＧＢ信号の色別の平均積算値を算出し、その算出結果をＣＰＵ３０に提供する。ＣＰＵ３０は、Ｒの積算値、Ｂの積算値、Ｇの積算値を得て、各分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。
【００４６】
本デジタルカメラ１０’におけるＡＦ制御は、例えば映像信号のＧ信号の高周波成分が極大になるようにフォーカシングレンズ（撮影レンズ６２を構成するレンズ光学系のうちフォーカス調整に寄与する移動レンズ）を移動させるコントラストＡＦが適用される。即ち、ＡＦ検出回路８２は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００４７】
ＡＦ検出回路８２で求めた積算値のデータはＣＰＵ３０に通知される。ＣＰＵ３０は、レンズ駆動部６６を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにレンズ駆動部６６を制御する。尚、ＡＦ評価値の演算はＧ信号を利用する態様に限らず、輝度信号（Ｙ信号）を利用してもよい。
【００４８】
撮影ボタン４４が半押しされ、Ｓ１オンによってＡＥ／ＡＦ処理が行われ、撮影ボタン４４が全押しされ、Ｓ２オンによって記録用の撮影動作がスタートする。Ｓ２オンに応動して取得された画像データは画像信号処理回路７８において輝度／色差信号（Ｙ／Ｃ信号）に変換され、ガンマ補正等の所定の処理が施された後、メモリ３８に格納される。
【００４９】
メモリ３８に格納されたＹ／Ｃ信号は、圧縮伸張回路８６によって所定のフォーマットに従って圧縮された後、カードリーダ／ライタ２２を介してメモリカード１００に記録することができる。例えば、静止画についてはJPEG（Joint Photographic Experts Group）形式で記録される。
【００５０】
モード選択スイッチ４２により再生モードが選択されると、メモリカード１００に記録されている最終の画像ファイル（最後に記録されたファイル）の圧縮データが読み出される。最後の記録に係るファイルが静止画ファイルの場合、この読み出された画像圧縮データは、圧縮伸張回路８６を介して非圧縮のＹＣ信号に伸張され、画像信号処理回路７８及びビデオエンコーダ８０を介して表示用の信号に変換された後、画像表示装置４８に出力される。これにより、当該ファイルの画像内容が画像表示装置４８の画面上に表示される。
【００５１】
静止画の一コマ再生中（動画の先頭フレーム再生中も含む）に、十字キーの右キー又は左キーを操作することによって、再生対象のファイルを切り換えること（順コマ送り／逆コマ送り）ができる。コマ送りされた位置の画像ファイルがメモリカード１００から読み出され、上記と同様にして静止画像や動画が画像表示装置４８に再生表示される。
【００５２】
また、カメラ付き携帯端末３は、送話音声を入力するマイクロフォン１２と、受話音声を出力するスピーカ１４と、マイクロフォン１２から入力された音声の符号化及び受信した音声の復号化を行う音声処理部２６と、サーバ１、ＰＣ２あるいは別の携帯端末３と移動体通信網を介して音声、画像その他のデータを通信する通信回路１５を備える。
【００５３】
位置情報取得部８１は、携帯端末３の現在位置情報を取得する手段である。位置情報取得部８１は、ＧＰＳ衛星から現在位置情報を取得するＧＰＳ受信機や、携帯端末３の通信する無線通信網の最寄りの基地局や中継器から現在位置情報を取得する回路などで構成されることができる。
【００５４】
カメラ付き携帯端末３は、公知のカメラ付き携帯電話やカメラ付きＰＤＡなどで構成できる。なお、音声の通話に関わる回路はなくてもよい。
【００５５】
建設・建築現場の施工検査は、大きく「準備処理」、「検査処理」、「報告処理」の３つに分かれる。準備処理では、検査の準備としてＰＣ２などから検査情報のサーバ１への登録、サーバ１による検査チェックシートの生成などが行われる。なお、携帯端末３で検査チェックシートの生成が行われてもよい。
【００５６】
検査処理では、検査員が携帯端末３で検査チェックシートを参照し、携帯端末３にて検査結果を入力し、また検査画像を撮影して、図面上の撮影ポイントに対応づけて検査画像を保存する。
【００５７】
報告処理では、検査完了の報告として、携帯端末３で入力された検査結果を含んだ検査チェックシートと検査画像の内容がプリンタ４に出力される。
【００５８】
検査員が検査用の携帯端末３を用いて、実際に建築・建設現場の施工検査を行う場合、まずサーバ１から携帯端末３に検査チェックシートを取り込む。すなわち携帯端末３は、予めＰＣ２からサーバ１に登録された検査チェックシートをネットワーク５経由で取得する。ただし、検査員が携帯端末３に直接検査チェックシートを入力してもよいし、携帯端末３がＳＤカードなどの可搬性記録媒体に記録された検査チェックシートを読み出して入力してもよい。検査チェックシートのデータ形式は任意であり、そのまま帳票出力が可能な状態に図面がレイアウトされた状態の文書として保存されてもよいし、ＸＭＬのような構造化言語として保存されていてもよい。またチェックシートのレイアウトは、検査を実施する携帯端末３のアプリケーションや、検査結果を出力するプリンタ４のアプリケーションで規定されてもよい。
【００５９】
図５は検査チェックシート生成処理のフローチャートを示す。ＰＣ２はウェブブラウザでサーバ１のＵＲＬを指定することでサーバ１にアクセスし、ユーザアカウント情報（ＩＤとパスワードの組み合わせなど）をサーバ１に送信する。サーバ１は受信したユーザアカウント情報とＤＢ１ａに予め蓄積された正当なユーザアカウント情報とを照合し、その照合結果に基づいてＰＣ２を認証する。サーバ１は、認証完了後、ＰＣ２への指示（専用のボタンアイコンの押下など）があったことに応じてこの処理を開始する。この処理をサーバ１およびＰＣ２に実行させるプログラムはサーバ１およびＰＣ２の記憶媒体に記憶されている。
【００６０】
Ｓ１では、サーバ１はＰＣ２に対し、検査情報入力画面を送信する。ＰＣ２は当該画面をサーバ１から受信して表示し、当該画面に沿って検査情報の入力を受け付ける。検査情報の入力方式は任意であり、キーボードその他の操作装置によるテキスト入力や、リストボックスからの項目選択により行うことができる。例えば、工事物件名「○○ビル」、検査種類「配筋検査」、検査箇所「３Ｆ」、検査対象部材「柱」、検査ポイント「１」、・・・、「９」などを入力できる。ＰＣ２は操作装置から入力された検査情報を一時ＲＡＭに蓄える。検査対象部材は複数入力できる。
【００６１】
Ｓ２では、ＰＣ２は当該画面の指示に従って検査図面の入力を受け付ける。検査図面はＰＣ２上で動作するＣＡＤアプリケーションから出力されたものや、ＰＤＦ、ｊｐｅｇ画像など各種の規格に従っている。ＰＣ２に保存されている図面の中から所望の図面ファイルの選択を受け付け、選択された図面ファイルを検査図面としてもよい。ＰＣ２は入力された検査図面を一時ＲＡＭに蓄える。
【００６２】
またＰＣ２は、Ｓ１で入力された検査対象部材に、当該検査対象部材に相当する個々の部材図面および当該検査対象部材の存在する見取り図面上の位置を指定する情報である部材関連情報の入力を受け付ける。すなわち、各検査対象部材は見取り図面上で固有の設置位置を有しており、かつそれぞれ固有の構造を有するため、本ステップでは、各検査対象部材の見取り図面上での位置を示す検査位置情報および各検査対象部材の構造を特定する情報である部材図面を含む部材関連情報を確保する。
【００６３】
Ｓ３では、ＰＣ２は当該画面の指示に従って検査内容の入力を受け付ける。検査内容とは、この検査においてどのような項目や内容をチェックするかを具体的に示す情報であり、これもデータ形式やフォーマットは任意である。例えば、「種類」、「数」、「ピッチ」などの文章を記述したテキストデータ、当該テキストデータに付随するチェックボックスのグラッフィックデータ、断面図の図面ファイルなどが挙げられる。ＰＣ２は入力された検査内容を一時ＲＡＭに蓄える。
【００６４】
Ｓ４では、ＰＣ２は一時ＲＡＭに蓄えられた検査情報と検査図面と部材関連情報と検査内容とを対応づけてサーバ１に送信する。
【００６５】
サーバ１は、これらの情報の組み合わせに基づいて検査チェックシートを生成する。具体的には、まず、入力された検査情報を基に、検査情報ＤＢ１ａに予め保存されているテンプレートを読み出す。例えば、検査種類「配筋検査」および検査対象部材「柱」という情報から、「柱の配筋検査用テンプレート」を検査情報ＤＢ１ａから読み出す。
【００６６】
テンプレートは、検査情報および検査図面の配置パターンと表示形式を規定している。また、テンプレートは、ＨＴＭＬやＸＭＬのようなマークアップ言語を用いて、検査情報に含まれる工事物件名、検査種類、検査箇所と見取り図面とを相互に参照可能にする第１のリンク情報、検査情報に含まれる各検査対象部材に対応する部材図面と見取り図面上での各検査対象部材の検査位置情報とを相互に参照可能にする第２のリンク情報を含んでいる。
【００６７】
サーバ１は、読み出したテンプレートの中の空の検査情報および検査図面を、ＰＣ２から受信した検査情報および検査図面で埋めることで検査チェックシートを作成する。
【００６８】
見取り図はテンプレートの見取り図配置位置に埋められるが、サイズが合わない場合は見取り図を拡大、縮小または任意の範囲でトリミングした上で埋める。
【００６９】
部材図面が入力されている場合は、各部材図面に対応する見取り図面上の位置情報に基づいて、当該見取り図面上における各検査対象部材の位置情報がテンプレートに埋められる。この位置情報は見取り図面上でのＸＹ座標情報、あるいはその代替物、例えば通り芯番号やＧＰＳ位置座標で表現されうる。
【００７０】
検査内容もテンプレートの検査内容配置位置に埋められるが、部材図面の中に検査内容が含まれている場合はこの処理を省略できる。
【００７１】
サーバ１は、作成した検査チェックシートをＤＢ１ａに保存する。
【００７２】
なお、上記の作成を処理するプログラムの実行主体がサーバ１でなくＰＣ２であってもよく、サーバ１でなくＰＣ２が検査チェックシートを作成することもできる。テンプレートがサーバ１にある場合は、ＰＣ２がテンプレートをサーバ１に要求して送信させ、それを受信して、入力された検査情報などを埋め込んでいく。ＰＣ２で作成された検査チェックシートはサーバ１に送信され、ＤＢ１ａに保存される。
【００７３】
そして、サーバ１は、検査情報、検査図面の埋められたテンプレートを検査チェックシートとする。
【００７４】
テンプレートの規定する検査情報および検査図面のレイアウトは任意であるが、携帯端末３での表示レイアウトを規定し、またＰＣ２に接続されたプリンタ４での印刷レイアウトを規定することもできる。あるいは、携帯端末３での表示レイアウト、プリンタ４での印刷レイアウトは、それぞれ携帯端末３あるいはプリンタ４のアプリケーションが決定してもよい。
【００７５】
出来上がった検査チェックシート（検査結果の埋め込まれていないもの）の内容をユーザに確認させるため、サーバ１は、作成された検査チェックシートをプリンタ４で印刷可能なプリントデータに変換した上でプリンタ４に出力し、プリンタ４で検査チェックシートを印刷させてもよい。
【００７６】
また、サーバ１は、出来上がった検査チェックシートの内容を、現場責任者などの上位責任者のアカウント権限でサーバ１にログオンしたＰＣ２や携帯端末３のユーザに閲覧させるとともに、承認または否決の入力を受け付け、承認が入力されればＤＢ１ａに保存し、否決が入力されればＤＢ１ａに保存しないようにしてもよい。
【００７７】
図６は検査業務処理のフローチャートを示す。この処理をサーバ１および携帯端末３に実行させるためのプログラムはサーバ１や携帯端末３の記憶媒体に記憶されている。
【００７８】
Ｓ１１では、携帯端末３からサーバ１に検査員の権限でログインし、検査処理の開始を指令する。このとき、携帯端末３は検査員によって検査現場まで携帯されているものとする。携帯端末３から検査処理の開始を指令があった場合、サーバ１はＤＢ１ａに保存された検査チェックシートと警告生成基準情報と警告情報をオープンして携帯端末３に送信する。もしＤＢ１ａに保存された検査チェックシートが複数の場合、サーバ１は携帯端末３から選択された検査チェックシートを送信する。あるいは、サーバ１は検査チェックシートに検査実施日時を対応づけてＤＢ１ａに保存しておき、携帯端末３から検査処理の開始を指令があった日時と一致ないし最も近接する検査実施日時に対応する検査チェックシートを携帯端末３に送信する。
【００７９】
また、サーバ１はログインしてきた検査員の名前や検査日時を検査チェックシートに埋め込む検査情報に加えてもよい。検査日時はアクセス日時、検査員の名前はログインユーザ名で代替できる。
【００８０】
サーバ１は各種のデータを携帯端末３から受信してこれをオープンした検査チェックシートと対応づけてＤＢ１ａに保存できる。携帯端末３からサーバ１へのデータ送信のタイミングは任意であり、携帯端末３からデータ入力があるごとでもよいし、特定のタイミング、例えば検査処理の終了時に一括送信してもよい。
【００８１】
携帯端末３は、サーバ１から受信した検査チェックシートをＳＤＲＡＭ３８などの記憶媒体に保存し、保存された検査チェックシートの画像データを映像信号に変換して画像表示装置４８に表示する。検査チェックシートの表示の方法は任意である。例えば、各検査対象部材の設置位置が示された伏図を表示するビューワ画面（図７（ａ）参照）でもよいし、検査ポイントが箇条書きに列挙されたリスト画面でもよく、さらにビューワ画面またはリスト画面の表示を操作装置への指示に応じて相互に切り替えてもよい。
【００８２】
Ｓ１２では、携帯端末３は、画像表示装置４８に表示された伏図から、所望の検査対象部材の位置の選択を受け付ける。選択の方法は任意であり、操作手段４６の十字キーの押下に従って伏図上に配置された検査対象部材間をカーソル移動し、所望のカーソル位置でＯＫキーが押下されたことに応じてカーソル位置のある検査対象部材を選択する。あるいは、伏図上に配置された各検査対象部材に対応する数字キーを押下させることで検査対象部材を選択する。あるいは、伏図上の各検査対象部材の存在位置のうち所望の検査対象部材の存在位置をタッチ指定することで検査対象部材を選択する。
【００８３】
複数存在する検査対象部材の中からどのような順序で検査対象部材を選択していくかも任意であるが、予め検査対象部材の順序を検査情報に含ませておき、その順序に従った選択しか受け付けないようにしてもよい。
【００８４】
Ｓ１３では、携帯端末３は、選択された検査対象部材に対応する検査内容と部材図面を画像表示装置４８に表示する。図７（ｂ）はその表示画面の例である。この画面では、柱の部材を示す断面図が具体的な検査項目（部材の種類、数、ピッチなど）とともに表示されている。また、各検査項目がＯＫかＮＧかを入力可能なチェックボックスも表示されている。また、選択された検査対象部材に対応した検査ポイントのパターン、ここでは柱の水平断面の周囲から柱を見込むような撮影方向を示す検査ポイント１〜９のうちいずれか１つを操作手段４６の十字キーで、あるいは図示しないタッチパネルへの押圧操作などで選択できる。検査ポイントは図示のものに限らない。例えば、検査対象部材が壁であれば、壁左側面、中央、右側面の３つから所望の１つを選択させることもできる。検査ポイントのうち検査済みのポイント、検査済みでないポイント、検査中のポイントを色分けして表示してもよい。例えば、検査済みのポイントは青、検査済みでないポイントは赤、検査中のポイントは黄で表示する。
【００８５】
Ｓ１４では、携帯端末３は後述の警告処理を実施する。
【００８６】
Ｓ１５では、携帯端末３が、操作手段４６を介して、選択された検査ポイントに対応する検査結果の入力を受け付ける。図７（ｂ）の画面では、検査ポイント１〜９のうちいずれか１つの選択入力と、部材の種類、数、ピッチがＯＫかＮＧかを示すチェックの入力を受け付けることができる。その他、検査結果を操作装置からテキスト入力させてもよいし、携帯端末３のボイスメモ機能を利用して検査者の発話音声を検査結果あるいは改修指示の内容を入力させてもよい。
【００８７】
Ｓ１６では、携帯端末３が、選択された検査ポイントから見た検査対象部材の現状を被写体とする画像の撮影の指示を撮影ボタン４４を介して受け付け、撮影指示に応じて開始した撮影によってメモリ３８に取得された画像である検査画像を、検査チェックシート、選択された部材および検査ポイントと対応づけて再びメモリ３８に保存する。
【００８８】
Ｓ１７では、携帯端末３は、得られた検査画像を画像表示装置４８に表示する（図７（ｃ）参照）。そして、携帯端末３は、検査画像の撮影を完了してよいか否かの選択を操作手段４６を介して受け付ける。完了する旨の選択が入力された場合はＳ１８に進み、完了しない旨の選択が入力された場合はＳ１６に戻って撮影を再び行う。同一の部材かつ同一の検査ポイントに対応する検査画像は単数でも複数でもよい。なお、検査員が各検査ポイントに対応する検査画像を１つ１つ撮影して目視確認することを繰り返すよりも、検査員が同一の検査ポイントに対応する撮影を複数撮影しておいて後から必要な画像のみを選別する方が検査効率は上がる。
【００８９】
Ｓ１８では、携帯端末３は、全ての検査対象部材に対応する検査結果の入力および検査画像の撮影が終わった旨の確認入力を操作手段４６を介して受け付けたか否かに応じて、全ての検査対象部材に対応する検査画像の撮影が終わったか否かを判断する。Ｙｅｓと判断された場合はＳ１９に進む。Ｎｏと判断された場合はＳ１２に戻って選択された検査ポイントに対応する検査内容の表示、検査結果の入力、検査画像の撮影を繰り返し、各検査ポイントに対応する検査結果および検査画像を得る。
【００９０】
Ｓ１９では、各検査ポイントの検査結果を画像表示装置４８に表示する。その表示の形式は任意である。また、図６では検査結果の表示は本処理の最後の処理として示しているが、この処理は検査開始後の任意のタイミングで行うことができる。例えば、各検査ポイントでの検査画像の終了の都度検査結果を表示することも可能である。あるいは、現在まで終了した検査結果の状況を、ユーザからの指示に応じて一覧表示してもよい。この際、携帯端末３は、まだ検査結果の入力および検査画像の撮影が終了していない検査対象部材が残っている場合、その検査ポイントを示して検査が完了していない旨を表示画面あるいは音声で通知すれば、検査漏れを防ぐことができる。
【００９１】
あるいは、携帯端末３は、全ての検査対象部材に対応する検査画像の撮影が終わったことに応じ、予め設定された通信相手方（サーバ１、ＰＣ２、他の携帯端末３）に対して検査完了を通知するメールを送信してもよい。特に、ある対象部材に対して検査結果ＮＧが入力された場合、その検査結果ＮＧに対応する対象部材および検査ポイントと検査結果の内容と検査画像とをセットにして、操作手段４６から予め指定された施行担当者の携帯端末３やＰＣ２に改修指示を電子メールその他のデータ通信により通知してもよい。
【００９２】
Ｓ２０では、携帯端末３は、検査チェックシートと検査の結果と撮影した検査画像とを対応づけてメモリ３８に保存する。保存された検査結果と検査画像は、携帯端末３のユーザＩＤと対応づけられてサーバ１に送信されてもよい。サーバ１は携帯端末３からこれらを受信し、検査チェックシートと検査結果と検査画像とを対応づけてＤＢ１ａに保存する。
【００９３】
サーバ１は、検査チェックシートのテンプレートに、この検査結果と検査画像そのもの、あるいはこの検査結果と検査画像に代替する情報（ハイパーリンクなど）を埋め込んだ上、検査結果と検査画像が埋め込まれた検査チェックシートである検査済みチェックシートを保存してもよい。例えば、サーバ１は、携帯端末３に送られた検査チェックシートのテンプレートにサーバ１に組み込まれたウェブサーバが公開するこの検査結果と検査画像に対してアクセスするリンク情報（ＵＲＬなどで記述）を埋め込んで保存してもよい。
【００９４】
サーバ１は、保存された検査済みチェックシートを、プリンタ４あるいはＰＣ２のディスプレイあるいは携帯端末３の画像表示装置４８を介して外部出力する。
【００９５】
検査済みチェックシートの出力方式は任意である。例えば、サーバ１は、ＸＳＬＴなどの所定のレイアウト変換ルールに従ってよってＸＭＬデータの検査済みチェックシートを帳票形式にレイアウトしかつＰＤＦのような出力データに変換して保存する。サーバ１は、ＰＣ２からの要求に応じ、このレイアウトされた出力データをＰＣ２に送信する。ＰＣ２は、サーバ１から受信した検査済みチェックシートを、プリンタ４にプリントアウトしたりＰＣ２に接続されたディスプレイあるいは携帯端末３の画像表示装置４８に表示したりする。
【００９６】
図８は警告処理（Ｓ１４）のフローチャートを示す。この処理を携帯端末３のＣＰＵ３０に実行させるためのプログラムは、ＲＯＭ３４などのコンピュータ読み取り可能な記録媒体に記録されている。
【００９７】
Ｓ２１では、携帯端末３のＣＰＵ３０は、位置情報取得部８１を制御して位置情報を取得する。ＣＰＵ３０は、位置情報取得部８１の取得した位置情報に基づき、現在の検査箇所を判別する。
【００９８】
例えば、図９に示すように、ＣＰＵ３０は、検査情報として予め保存された伏図上の各検査対象部材のＧＰＳ位置情報と、位置情報取得部８１が定期的に取得したＧＰＳ位置情報とを定期的に比較し、位置情報取得部８１の取得した位置情報に最も近接する位置情報に対応する伏図上の検査対象部材の位置情報を、現在の検査箇所と判別する。あるいは、ＣＰＵ３０は、Ｓ１３で選択された検査ポイントの位置情報を現在の検査箇所と判別する。
【００９９】
Ｓ２２では、ＣＰＵ３０は、警告生成基準情報から、判別された現在の検査箇所の識別情報に対応する場所情報および検査内容を特定する。ＣＰＵ３０は、特定した検査内容に対応する足場と視界の安全基準係数と安全基準閾値とをそれぞれ安全基準係数テーブルと安全基準閾値テーブルから特定し、当該特定された安全基準係数と基準閾値とを乗じて足場と視界のそれぞれに対応する安全基準値を算出する。そしてＣＰＵ３０は、上記特定した場所情報の足場と視界のそれぞれに対応する実際の安全レベルと、算出した足場と視界のそれぞれに対応する安全基準値とを比較し、足場の警告条件が満たされたか否か、すなわち足場の安全レベル＜足場安全基準値であるか否かを判断するとともに、視界の警告条件が満たされたか否か、すなわち視界の安全レベル＜視界安全基準値であるか否かを判断する。
【０１００】
ＣＰＵ３０は、足場の警告条件が満たされたと判断した場合、ビデオエンコーダ８０のＯＳＤ回路に、足場の安全に関する映像の警告情報、例えば、「足場に十分注意してください」との文字メッセージの生成を指示する。
【０１０１】
ＣＰＵ３０は、視界の警告条件が満たされと判断した場合、ビデオエンコーダ８０のＯＳＤ回路に、視界の安全に関する映像の警告情報、例えば、「視界に十分注意してください」との文字メッセージの生成を指示する。
【０１０２】
ＣＰＵ３０は、映像の警告情報の代わりに、あるいは映像の警告情報とともに、音声の警告情報、すなわち足場や視界の安全に関する音声メッセージの生成を音声処理部２６に指示してもよい。サーバ１から送信された映像および／または警告情報の内容はメモリカード１００などに記憶されている。
告情報の保存形式と内容は任意である。また、警告の対象は足場や視界に限られない。さらに、安全基準値の算出や警告情報の生成はＣＰＵ３０でなくサーバ１が行ってもよい。この場合、サーバ１が算出した安全基準値や生成された警告情報を携帯端末３に送信してもよい。
【０１０３】
出力される警告情報の含む警告の程度は、安全基準値と安全基準閾値との差に応じて変動することが望ましい。例えば、ＣＰＵ３０は、足場の安全基準値−足場の安全基準閾値＝−１であれば、「足場に注意してください」という映像あるいは音声のメッセージの生成を指示する。また、ＣＰＵ３０は、足場の安全基準値−足場の安全基準閾値＝−２であれば、「足場に十分注意してください」という映像あるいは音声のメッセージの生成を指示する。
【０１０４】
あるいは、ＣＰＵ３０は、判別された現在の検査箇所に対応づけられた警告情報の出力を指示してもよい。例えば、警告生成基準情報の検査箇所Ｎｏ１に「足場に注意してください」というメッセージを対応づけておき、ＣＰＵ３０は、現在の検査箇所がＮｏ１であると判別した場合、検査箇所Ｎｏ１に対応するメッセージ「足場に注意してください」の出力を指示してもよい。あるいは、過去の検査業務において警告すべきであった情報、あるいは警告することで効果があった警告情報を検査対象の種類ごとに分類したノウハウデータベースをＲＯＭ３４、ＥＥＰＲＯＭ３６、メモリカード１００、サーバ１などに保存しておき、ＣＰＵ３０は、判別された現在の検査箇所に対応づけられた検査の種類に対応する警告情報をノウハウデータベースから抽出して、その抽出した警告情報の出力を指示してもよい。ノウハウデータベースは、柱の写真撮影についてはカメラの再設定やピントの確認を要する旨のメッセージを含む警告情報や、壁の写真撮影については背後に注意を要する旨のメッセージを含む警告情報などを蓄積している。
【０１０５】
Ｓ２３では、ＣＰＵ３０は、生成した映像の警告情報を画像表示装置４８に出力する。ＣＰＵ３０は、映像の警告情報の代わりに、あるいは映像の警告情報とともに、音声の警告情報をスピーカ１４から出力してもよい。あるいは、ＣＰＵ３０は、足場や視界の警告条件が満たされたと判断した場合、バイブレータや発光手段（ＬＥＤなど）を起動してもよい。要するに画像表示装置４８やスピーカ１４は、検査員が物理的に認識可能な警告情報を出力する手段の一例にすぎない。
【０１０６】
図１０は生成した警告情報を画像表示装置４８に表示した例を示す。図１１は警告情報を吹き出しの形にし、図面における現在の検査箇所に警告情報を対応づけて画像表示装置４８に表示した例を示す。図面上の現在の検査対象と警告情報とを対応づけて表示することで、どの検査対象に対する警告情報であるかが、検査員にとって視覚的に明確になる。図１２は現在選択されている検査対象「検査ポイント１」に警告情報を対応づけて画像表示装置４８に表示した例を示す。ただし、検査対象「検査ポイント１」が選択されたことに応じて、「検査ポイント１」に対応する音声の警告情報をスピーカ１４経由で出力してもよい。図１３は伏図から検査ポイントが選択されたことに応じて警告情報を画像表示装置４８に表示し、その後検査対象の部材図面を表示した例を示す。表示された警告情報は、操作手段４６から表示終了操作例えばＯＫボタンが押下されたことに応じて消去され、その後部材図面が画像表示装置４８に表示されてもよい。図示の表示は警告情報の一例にすぎない。図示のいずれの表示方式を採用するかを操作手段４６から選択できてもよい。
【０１０７】
以上の処理により、現在の検査対象の位置に応じた警告情報を検査の実施にあたって出力することで、作業の事故やミスを未然に防ぐことが期待される。
【０１０８】
＜第２実施形態＞
警告情報の入力は検査結果の入力の際に携帯端末３から行われてもよく、携帯端末３から入力された警告情報は検査情報としてサーバ１に保存されてもよい。例えば、検査作業者が検査現場で気づいたことや、作業者同士で共有したい情報などを警告情報として携帯端末３から入力してサーバ１に保存し、さらにその警告情報に基づいて検査チェックシートを再生成しておけば、他の作業者がその再生成された検査チェックシートの警告情報を携帯端末３から参照して検査業務に役立てることができる。
【０１０９】
図１４、図１５、図１６はそれぞれ、第２実施形態に係る検査チェックシート生成処理、検査業務処理、警告処理のフローチャートを示す。
【０１１０】
第２実施形態に係る検査チェックシート生成処理のＳ５１〜Ｓ５５のうち、Ｓ５１〜Ｓ５３、Ｓ５４〜Ｓ５５はそれぞれＳ１〜Ｓ４と同様である。また第２実施形態に係る検査チェックシート生成処理のＳ６１〜Ｓ７１のうち、Ｓ６１〜Ｓ６５、Ｓ６７〜Ｓ７１はそれぞれＳ１１〜Ｓ２０と同様である。
【０１１１】
Ｓ６６における、ある携帯端末３ａからの警告情報の入力は、検査結果の入力の際に行うことができる（図１７参照）。例えば、ある建設現場の検査を複数人で数日かけて行うような場合を考える。ｎ（ｎ＝１、２、・・）回目の検査チェックシート生成処理で生成された検査チェックシートに基づいて行われるｎ回目の検査業務処理のＳ７１において、ある作業者Ａが携帯端末３ａを介して、任意に選択された検査対象に関連する検査結果と警告情報を入力し、携帯端末３経由でサーバ１に定期的に、例えば毎日この情報をアップロードする。警告情報は、テキスト、撮影画像、ボイスメモ、あるいはこれらの全部または一部の組み合わせで構成されうる。サーバ１は、ｎ＋１回目の検査チェックシート生成処理のＳ５４において携帯端末３ａからアップロードされた警告情報を入力し、Ｓ５５にてこれをもとに検査チェックシートを再生成する。そして、作業者Ａの携帯端末３ａとは異なる作業者Ｂの携帯端末３ｂは、ｎ＋１回目の検査業務処理を開始し、Ｓ６１にて、再生成された検査チェックシートをサーバ１からダウンロードする。作業者Ｂは、その再生成された検査チェックシートの警告情報を携帯端末３ｂで参照して、作業者Ａが現場で得た情報を共有し、検査業務に役立てることができる。ｎ＋１回目の検査業務処理では、さらに新たな警告情報が入力されてもよい。
【０１１２】
警告情報の共有の即時性を高めるため、サーバ１は、携帯端末３ａから警告情報などがアップロードされたタイミングで検査チェックシートを再生成し、即時に再生成した検査チェックシートを携帯端末３ｂに配信してもよい。携帯端末３ｂは、追加された警告情報に対応する検査対象を画像表示装置４８に表示してもよい。
【０１１３】
逆に、携帯端末３ｂが検査結果と警告情報をサーバ１にアップロードし、携帯端末３ａがサーバ１から再生成された検査チェックシートをダウンロードしてもよい。携帯端末３が３台以上であっても、２台の場合と同様に、異なる携帯端末間で相互に警告情報の共有を行うことができる。
【符号の説明】
【０１１４】
１：サーバ、２：パソコン、３：携帯端末、４：プリンタ
【図１】
2011128699.tif 000003
【図２】
2011128699.tif 000004
【図４】
2011128699.tif 000005
【図５】
2011128699.tif 000006
【図６】
2011128699.tif 000007
【図８】
2011128699.tif 000008
【図１４】
2011128699.tif 000009
【図１５】
2011128699.tif 000010
【図１６】
2011128699.tif 000011
【図３】
2011128699.tif 000012
【図７】
2011128699.tif 000013
【図９】
2011128699.tif 000014
【図１０】
2011128699.tif 000015
【図１１】
2011128699.tif 000016
【図１２】
2011128699.tif 000017
【図１３】
2011128699.tif 000018
【図１７】
2011128699.tif 000019